(57)【要約】      （修正有）【課題】建物開口部の額縁へのビス打ちが制限されている建物でも内窓を設置できる内窓枠設置具を提供する。【解決手段】内窓枠設置具は、複数個の金具３１と４つの額縁とを有している。金具３１は、平板部３３を室内側に向けるとともにビスを平板部３４の孔３６及びアングル部の孔を通して額縁の内面にねじ込むことによってアングル部上に固定される。額縁は、アングル部上の金具３１の平板部３３と建物開口部の額縁との間の隙間に挿入するとともにビスを金具３１の平板部３３の孔を通してねじ込むことによって建物開口部の額縁に固定される。【選択図】図８
2014227776.tif 000002
【特許請求の範囲】
【請求項１】
上下方向および左右方向に対向する２対の額縁に囲まれた建物開口部であって、既設窓枠が、当該既設窓枠の上枠、下枠、及び縦枠の側端面から起立した各アングル部を前記２対の額縁における対向方向を向いた面である内面に当接させるとともにビスを前記各アングル部の孔を通して前記内面にねじ込むことによって取り付けられている建物開口部における前記既設窓枠よりも室内側に取り付けられる内窓枠設置具であって、
中間部と前記中間部の一端辺及び他端辺から相反する方向に向かって起立した第１及び第２の平板部を有し、前記第１及び第２の平板部に各々を貫く孔が設けられた複数個の金具と、
前記上下方向に対向する額縁間に収まる長さを有する２つの内窓取付用額縁と前記左右方向に対向する額縁間に収まる長さを有する２つの内窓取付用額縁とを含む４つの内窓取付用額縁と
を具備し、
前記複数個の金具を、前記第１の平板部を室内側に向けるとともにビスを前記第２の平板部の孔及び前記アングル部の孔を通して前記内面にねじ込むことによって前記アングル部上に固定し、前記４つの内窓取付用額縁を、前記アングル部上の前記金具の第１の平板部と前記建物開口部の額縁との間の隙間に挿入するとともにビスを前記金具の第１の平板部の孔を通して当該内窓取付用額縁にねじ込むことによって前記建物開口部の額縁上に固定する
ように構成されていることを特徴とする内窓枠設置具。
【請求項２】
前記４つの内窓取付用金具の各々における厚み方向に対向する両面のうち一方の面には、長さ方向に延在する溝を有するレールが設けられており、前記レールにおける前記溝を挟んで向かい合う２つの側部の上縁は凸部として内側に凸んでおり、前記溝内には当該溝の延在方向に摺動し得るビス受け片が収められており、前記内窓取付用額縁を前記隙間に挿入した状態において、前記アングル部上の前記金具の第１の平面部の孔の位置と前記溝内における前記ビス受け片の位置を合わせた上でビスを前記第１の平面部の孔を通して前記ビス受け片に螺合し、この螺合によりビスの頭部と前記ビス受け片が前記第１の平板部及び前記凸部を挟持するように構成されていることを特徴とする請求項１に記載の内窓枠設置具。
【請求項３】
前記金具の第２の平板部の孔は、前記中間部から当該第２の平板部の先端に向かう方向を長軸とする楕円状をなしていることを特徴とする請求項２に記載の内窓枠設置具。
【請求項４】
前記金具の第２の平板部における前記第１の平面板のある側と反対側の面に弾性体が貼付されていることを特徴とする請求項３に記載の内窓枠設置具。
【請求項５】
上下方向に対向する１対の額縁に囲まれた建物開口部であって、既設窓枠が、当該既設窓枠の上枠及び下枠の側端面から起立した各アングル部を前記１対の額縁における対向方向を向いた面である内面に当接させるとともにビスを前記各アングル部の孔を通して前記内面にねじ込むことによって取り付けられている建物開口部における前記既設窓枠よりも室内側に取り付けられる内窓枠設置具であって、
中間部と前記中間部の一端辺及び他端辺から相反する方向に向かって起立した第１及び第２の平板部を有し、前記第１及び第２の平板部に各々を貫く孔が設けられた複数個の金具と、
２つの内窓取付用額縁と
を具備し、
前記複数個の金具を、前記第１の平板部を室内側に向けるとともにビスを前記第２の平板部の孔及び前記アングル部の孔を通して前記内面にねじ込むことによって前記アングル部上に固定し、前記２つの内窓取付用額縁を、前記アングル部上の前記金具の第１の平板部と前記建物開口部の額縁との間の隙間に挿入するとともにビスを前記金具の第１の平板部の孔を通して当該内窓取付用額縁にねじ込むことによって前記建物開口部の額縁上に固定する
ように構成されていることを特徴とする内窓枠設置具。
【発明の詳細な説明】
【技術分野】
【０００１】
この発明は、建物の既設窓の内側に別の窓を設置する技術に関する。
【背景技術】
【０００２】
建物の既設窓の内側に「内窓」と呼ばれる別の窓を設置することにより防音性や断熱性を高める技術が各種提案されている。この種の技術を開示した文献として、特許文献１がある。この文献１に開示された引き違い窓枠用サッシは、居室開口部における外窓の内側の上下の額縁のうち下の額縁にビス留めされる樹脂製底板と、底板から起立した２本の樹脂製レールと、この２本のレールを覆う金属製補強レールと、下縁の戸車が金属製補強レール上を転動し得るようにして上下の額縁間に支持される一対の内窓とを有している。この技術では、額縁に当接する底板が樹脂製であるため断熱性が確保される。また、樹脂性レールが金属製補強レールで覆われているため、複層ガラスや合わせガラス等の重量が比較的大きい機能ガラスを内窓とした場合でも、その重さによりレールが破損することがなく、十分な耐久性を保つことができる。
【先行技術文献】
【特許文献】
【０００３】
【特許文献１】特開２００５−１６３４０４号公報
【発明の概要】
【発明が解決しようとする課題】
【０００４】
しかしながら、特許文献１の技術は、内窓のレールの底板を額縁にビス留めするようになっていた。このため、賃貸マンションのように額縁へのビス打ちが制限されている居室では利用できないという問題があった。
【０００５】
本発明は、このような課題に鑑みてなされたものであり、建物開口部の額縁へのビス打ちが制限されている建物でも内窓を設置できるようにすることを目的とする。
【課題を解決するための手段】
【０００６】
上記課題を解決するため、本発明の好適な態様である内窓枠設置具は、上下方向および左右方向に対向する２対の額縁に囲まれた建物開口部であって、既設窓枠が、当該既設窓枠の上枠、下枠、及び縦枠の側端面から起立した各アングル部を前記２対の額縁における対向方向を向いた面である内面に当接させるとともにビスを前記各アングル部の孔を通して前記内面にねじ込むことによって取り付けられている建物開口部における前記既設窓枠よりも室内側に取り付けられる内窓枠設置具であって、中間部と前記中間部の一端辺及び他端辺から相反する方向に向かって起立した第１及び第２の平板部を有し、前記第１及び第２の平板部に各々を貫く孔が設けられた複数個の金具と、前記上下方向に対向する額縁間に収まる長さを有する２つの内窓取付用額縁と前記左右方向に対向する額縁間に収まる長さを有する２つの内窓取付用額縁とを含む４つの内窓取付用額縁とを具備し、前記複数個の金具を、前記第１の平板部を室内側に向けるとともにビスを前記第２の平板部の孔及び前記アングル部の孔を通して前記内面にねじ込むことによって前記アングル部上に固定し、前記４つの内窓取付用額縁を、前記アングル部上の前記金具の第１の平板部と前記建物開口部の額縁との間の隙間に挿入するとともにビスを前記金具の第１の平板部の孔を通して当該内窓取付用額縁にねじ込むことによって前記建物開口部の額縁上に固定するように構成されている。
【０００７】
本発明では、複数個の金具を、その第１の平板部を室内側に向けるとともにビスを第２の平板部の孔及びアングル部の孔を通して額縁の内面にねじ込むことによってアングル部上に固定するようになっている。また、４つの内窓取付用額縁を、上枠、下枠、及び縦枠のアングル部上の金具の第１の平板部と建物開口部の額縁との間の隙間に挿入するとともにビスを金具の第１の平板部の孔を通して当該内窓取付用額縁にねじ込むことによって建物開口部の額縁に固定するようになっている。よって、本発明によると、建物開口部の額縁にビスを打ち込むことなく内窓を設置することができる。
【０００８】
本発明の別の好適な態様である内窓枠設置具は、上下方向に対向する１対の額縁に囲まれた建物開口部であって、既設窓枠が、当該既設窓枠の上枠及び下枠の側端面から起立した各アングル部を前記１対の額縁における対向方向を向いた面である内面に当接させるとともにビスを前記各アングル部の孔を通して前記内面にねじ込むことによって取り付けられている建物開口部における前記既設窓枠よりも室内側に取り付けられる内窓枠設置具であって、中間部と前記中間部の一端辺及び他端辺から相反する方向に向かって起立した第１及び第２の平板部を有し、前記第１及び第２の平板部に各々を貫く孔が設けられた複数個の金具と、２つの内窓取付用額縁とを具備し、前記複数個の金具を、前記第１の平板部を室内側に向けるとともにビスを前記第２の平板部の孔及び前記アングル部の孔を通して前記内面にねじ込むことによって前記アングル部上に固定し、前記２つの内窓取付用額縁を、前記アングル部上の前記金具の第１の平板部と前記建物開口部の額縁との間の隙間に挿入するとともにビスを前記金具の第１の平板部の孔を通して当該内窓取付用額縁にねじ込むことによって前記建物開口部の額縁上に固定するように構成されている。
【０００９】
本発明では、複数個の金具を、その第１の平板部を室内側に向けるとともにビスを第２の平板部の孔及びアングル部の孔を通して額縁の内面にねじ込むことによってアングル部上に固定するようになっている。また、２つの内窓取付用額縁を、上枠及び下枠のアングル部上の金具の第１の平板部と建物開口部の額縁との間の隙間に挿入するとともにビスを金具の第１の平板部の孔を通して当該内窓取付用額縁にねじ込むことによって建物開口部の額縁に固定するようになっている。よって、本発明によっても、建物開口部の額縁にビスを打ち込むことなく内窓を設置することができる。
【図面の簡単な説明】
【００１０】
【図１】本発明の一実施形態である内窓枠設置具を取り付ける前の建物開口部とこの建物開口部に取り付けられている既設窓の窓枠及び窓障子を示す斜視図である。
【図２】図１の建物開口部に内窓枠設置具を取り付けたものを示す斜視図である。
【図３】図１の内窓枠設置具に内窓の窓枠及び窓障子を収めたものを示す斜視図である。
【図４】図１のＡ−Ａ’線断面図である。
【図５】図１のＢ−Ｂ’線断面図である。
【図６】図２のＡ−Ａ’線断面図である。
【図７】図２のＢ−Ｂ’線断面図である。
【図８】本発明の一実施形態である内窓枠設置具の金具を示す斜視図である。
【図９】本発明の一実施形態である内窓枠設置具の内窓取付用額縁を示す図である。
【図１０】本発明の一実施形態である内窓枠設置具の内窓取付用額縁を示す図である。
【図１１】本発明の一実施形態である内窓枠設置具の内窓取付用額縁の取り付けの手順を示す図である。
【図１２】本発明の一実施形態である内窓枠設置具の内窓取付用額縁の取り付けの手順を示す図である。
【図１３】本発明の一実施形態である内窓枠設置具の内窓取付用額縁の取り付けの手順を示す図である。
【図１４】本発明の一実施形態である内窓枠設置具の内窓取付用額縁の取り付けの手順を示す図である。
【図１５】本発明の一実施形態である内窓枠設置具の効果を説明するための図である。
【発明を実施するための形態】
【００１１】
以下、図面を参照しつつ本発明の実施形態について説明する。図１は、本発明の一実施形態である内窓枠設置具を取り付ける前の建物開口部１０とこの建物開口部１０に取り付けられている既設窓（アルミサッシ）の窓枠１２及び窓障子１８Ｆ及び１８Ｂを示す斜視図である。図２は、図１の建物開口部１０に内窓枠設置具（額縁２１Ｕ、２１Ｄ、２１Ｌ、２１Ｒと金具３１）を取り付けたものを示す斜視図である。図３は、図１の内窓枠設置具に内窓の窓枠５２及び窓障子５８Ｆ及び５８Ｂを収めたものを示す斜視図である。図４は、図１のＡ―Ａ’線断面図（縦断面図）である。図５は、図１のＢ−Ｂ’線断面図（横断面図）である。図６は、図２のＡ―Ａ’線断面図（縦断面図）である。図７は、図２のＢ−Ｂ’線断面図（横断面図）である。
【００１２】
図１における建物開口部１０と既設窓の窓枠１２及び窓障子１８Ｆ及び１８Ｂの構成は次の通りである。建物開口部１０は、４つの額縁１１Ｕ、１１Ｄ、１１Ｌ、１１Ｒに囲まれている。額縁１１Ｕ及び１１Ｄは、上下方向に対向している。額縁１１Ｌ及び１１Ｒは、左右方向に対向している。
【００１３】
既設窓の窓枠１２は、上枠１３Ｕ、下枠１３Ｄ、左右の縦枠１３Ｌ及び１３Ｒを方形に枠組みしてなるものである。図４に示すように、上枠１３Ｕの枠本体２２Ｕ上には、網戸レール２３Ｕ、外レール２４Ｕ、及び内レール２５Ｕがある。下枠１３Ｄの枠本体２２Ｄ上には、網戸レール２３Ｄ、外レール２４Ｄ、及び内レール２５Ｄがある。
【００１４】
上枠１３Ｕの枠本体２２Ｕにおける室内側（網戸レール２３Ｕのある側と反対側）の端部は側端面２６Ｕとして下枠１３Ｄの方に屈曲している。上枠１３Ｕの枠本体２２Ｕにおける側端面２６Ｕの下端には室内側（レール２３Ｕ、２４Ｕ、２５Ｕのある側と反対側）に向かって起立したアングル部２７Ｕがある。上枠１３Ｕのアングル部２７Ｕには、上枠１３Ｕの延在方向（左右方向）に間隔をあけて並ぶ複数個（たとえば、３つとする）の孔が設けられている。
【００１５】
下枠１３Ｄの枠本体２２Ｄにおける室内側（網戸レール２３Ｄのある側と反対側）の端部は側端面２６Ｄとして上枠１３Ｕの方に屈曲している。下枠１３Ｄの枠本体２２Ｄにおける側端面２６Ｄの上端には室内側（レール２３Ｄ、２４Ｄ、２５Ｄのある側と反対側）に向かって起立したアングル部２７Ｄがある。下枠１３Ｄのアングル部２７Ｄには、下枠１３Ｄの延在方向（左右方向）に間隔をあけて並ぶ複数個（たとえば、３つとする）の孔が設けられている。
【００１６】
図５に示すように、縦枠１３Ｌの枠本体２２Ｌにおける室内側の端部は側端面２６Ｌとして縦枠１３Ｒの方に屈曲している。縦枠１３Ｌの枠本体２２Ｌにおける側端面２６Ｌの右端には室内側に向かって起立したアングル部２７Ｌがある。縦枠１３Ｌのアングル部２７Ｌには、縦枠１３Ｌの延在方向（上下方向）に間隔をあけて並ぶ複数個（たとえば、３つとする）の孔が設けられている。
【００１７】
縦枠１３Ｒの枠本体２２Ｒにおける室内側の端部は側端面２６Ｒとして縦枠１３Ｌの方に屈曲している。縦枠１３Ｒの枠本体２２Ｒにおける側端面２６Ｒの左端には室内側に向かって起立したアングル部２７Ｒがある。縦枠１３Ｒのアングル部２７Ｒには、縦枠１３Ｒの延在方向（上下方向）に間隔をあけて並ぶ複数個（たとえば、３つとする）の孔が設けられている。
【００１８】
内窓枠設置具を取り付ける前の状態（図１）における既設窓の窓枠１２の上枠１３Ｕ、下枠１３Ｄ、縦枠１３Ｌ、縦枠１３Ｒのアングル部２７Ｕ、２７Ｄ、２７Ｌ、２７Ｒは、各々の孔に嵌め込まれたビスＢにより建物開口部１０の額縁１１Ｕ、１１Ｄ、１１Ｌ、１１Ｒの室外側の端部に固定されている。
【００１９】
より具体的に説明すると、図４に示すように、上枠１３Ｕのアングル部２７Ｕは、額縁１１Ｕにおける額縁１１Ｄと対向する面（以下、内面１３Ｕ）に当接している。上枠１３Ｕのアングル部２７Ｕの孔内のビスＢの軸部ＢＳは額縁１１Ｕの内面１３Ｕにねじ込まれている。下枠１３Ｄのアングル部２７Ｄは、額縁１１Ｄにおける額縁１１Ｕと対向する面（以下、内面１３Ｄ）に当接している。下枠１３Ｄのアングル部２７Ｄの孔内のビスＢの軸部ＢＳは額縁１１Ｄの内面１３Ｄにねじ込まれている。
【００２０】
図５に示すように、縦枠１３Ｌのアングル部２７Ｌは、額縁１１Ｌにおける額縁１１Ｒと対向する面（以下、内面１３Ｌ）に当接している。縦枠１３Ｌのアングル部２７Ｌの孔内のビスＢの軸部ＢＳは額縁１１Ｌの内面１３Ｌにねじ込まれている。縦枠１３Ｒのアングル部２７Ｒは、額縁１１Ｒにおける額縁１１Ｌと対向する面（以下、内面１３Ｒ）に当接している。縦枠１３Ｒのアングル部２７Ｒの孔内のビスＢの軸部ＢＳは額縁１１Ｒの内面１３Ｒにねじ込まれている。
【００２１】
既設窓の窓枠１２における上枠１３Ｕのレール２３Ｕと下枠１３Ｄのレール２３Ｄの間には網戸（不図示）が収められる。上枠１３Ｕのレール２４Ｕと下枠１３Ｄのレール２４Ｄの間には窓障子１８Ｆが収められる。上枠１３Ｕのレール２５Ｕと下枠１３Ｄのレール２５Ｄの間には窓障子１８Ｂが収められる。
【００２２】
本発明の実施形態である内窓枠設置具は、建物開口部１０における既設窓の窓枠１２よりも室内側に取り付けられる。より詳細に説明すると、内窓枠設置具は、ステンレス製の金具３１と木製の内窓取付用額縁２１Ｕ、２１Ｄ、２１Ｌ、２１Ｒとを有する。図８は、金具３１を示す斜視図である。図８に示すように、金具３１は、高さＨ１（例えば、Ｈ１＝３ｃｍ）の寸法を持って上下に伸びる中間部３２と中間部３２の上端辺及び下端辺から相反する方向に向かって起立した第１の平板部３３及び第２の平板部３４を有する。
【００２３】
平板部３３における基端よりも先端の側に距離Ｗ１（例えば、Ｗ１＝１．５ｃｍ）だけ離れた位置には同部３３の表裏面を貫く孔３５が穿設されている。平板部３３の孔３５は真円状をなしている。平板部３３の孔３５の直径は、アングル部２７Ｕ、２７Ｄ、２７Ｌ、２７ＲにおけるビスＢが嵌め込まれている各孔の直径と同じである。
【００２４】
平板部３４における基端よりも先端の側に距離Ｗ１だけ離れた位置には同部３４の裏面間を貫く孔３６が穿設されている。平板部３４の孔３６は、中間部３２の下端辺から平板部３４の先端に向かう方向を長軸とする楕円状をなしている。平板部３４の孔３６の短径（短軸の寸法）はアングル部２７Ｕ、２７Ｄ、２７Ｌ、２７Ｒの孔の半径と同じである。
【００２５】
平板部３４の裏面（平板部３３のある側と反対側の面）には保護片３７が貼付されている。保護片３７は、弾性体（例えば、シリコンゴムやウレタンゴム）を裏面と同じ寸法の板にしたものである。保護片３７における平板部３４の孔３６の真下の位置にはこの孔３６と同じ寸法を持った楕円状の孔が設けられている。
【００２６】
図９（Ａ）は、内窓取付用額縁２１Ｄの正面図である。図９（Ｂ）は、図９（Ａ）を矢印Ｂ方向から見た図である。図９（Ｃ）は、図９（Ａ）を矢印Ｃ方向から見た図である。内窓取付用額縁２１Ｕの構造は、内窓取付用額縁２１Ｄの構造と同じである。図９（Ａ）、図９（Ｂ）、図９（Ｃ）に示すように、内窓取付用額縁２１Ｄは、額縁１１Ｌ及び１１Ｒ間に収まる長さＬ２（たとえば、Ｌ２＝４０ｃｍ）、金具３１の中間部３２の高さＨ１に保護片３７とアングル部２７Ｕ、２７Ｄ、２７Ｌ、２７Ｒの厚さを加えた寸法と同じ厚さＨ１’、及び額縁１１Ｕ、１１Ｄ、１１Ｌ、１１Ｒの奥行幅よりも僅かに小さな奥行幅Ｗ２（たとえば、Ｗ２＝２０ｃｍ）を持った直方体状をなしている。内窓取付用額縁２１Ｄには、厚みＨ１’方向に対向する２つの面のうち一方の面から反対側の面に向かって凹んだ凹部１７Ｄが設けられている。
【００２７】
内窓取付用額縁２１Ｄの凹部１７Ｄにはアルミニウム製のレールＲＬが埋め込まれている。レールＲＬは、溝ＣＨＮを囲んで略コの字状に交差する底部Ｘと側部ＹＦ及びＹＢを有している。レールＲＬの溝ＣＨＮは、長さＬ２方向に一直線状に延伸している。レールＲＬの側部ＹＦ及びＹＢは、溝ＣＨＮを挟んで奥行幅Ｗ２方向に平行に向かい合っている。
【００２８】
レールＲＬの側部ＹＦの上端は、凸部ＺＦＵ（上端凸部）として側部ＹＢの側に凸んでいる。レールＲＬの側部ＹＢの上端は、凸部ＺＢＵ（上端凸部）として側部ＹＦの側に凸んでいる。レールＲＬの側部ＹＦの凸部ＺＦＵとレールＲＬの側部ＹＢの凸部ＺＢＵに挟まれた直線状の開口の幅は、ビスＢの軸部ＢＳの直径よりも大きくビスＢの頭部ＢＨの直径よりも小さくなっている。
【００２９】
レールＲＬの側部ＹＦの上端よりも僅かに下の位置は凸部ＺＦＭ（中間凸部）として側部ＹＢの側に凸んでいる。レールＲＬの側部ＹＢの上端よりも僅かに下の位置は凸部ＺＢＭ（中間凸部）として側部ＹＦの側に凸んでいる。凸部ＺＦＭ及びＺＢＭ間の幅は凸部ＺＦＵ及びＺＢＵ間の幅と同じである。
【００３０】
レールＲＬの溝ＣＨＮ内における凸部ＺＦＵ及びＺＢＵと凸部ＺＦＭ及びＺＢＭに挟まれた隙間には複数個のビス受け片Ｐが収められている。ビス受け片Ｐは、表裏面を正方形とする板状をなしている。ビス受け片Ｐの表裏面の一辺の長さは凸部ＺＦＭ及びＺＢＭ間の幅よりも大きくなっている。ビス受け片Ｐには表裏面間を貫くねじ孔Ｈが穿設されている。
【００３１】
図１０（Ａ）は、内窓取付用額縁２１Ｌの正面図である。図１０（Ｂ）は、図１０（Ａ）を矢印Ｂ方向から見た図である。図１０（Ｃ）は、図１０（Ａ）を矢印Ｃ方向から見た図である。内窓取付用額縁２１Ｒの構造は内窓取付用額縁２１Ｌの構造と同じである。図１０（Ａ）、図１０（Ｂ）、図１０（Ｃ）に示すように、内窓取付用額縁２１Ｌは、額縁１１Ｕ及び１１Ｄ間に収まる長さＬ３（たとえば、Ｌ３＝９０ｃｍとする）、厚さＨ１’、及び奥行幅Ｗ２を持った直方体状をなしている。
【００３２】
内窓取付用額縁２１Ｌには、厚みＨ１’方向に対向する２つの面のうち一方の面から反対側の面に向かって凹んだ凹部１７Ｌが設けられている。凹部１７Ｌには、凹部１７Ｌと同じ長さのレールＲＬが埋め込まれている。このレールＲＬ内にも複数個のビス受け片Ｐが収められている。
【００３３】
内窓枠設置具の構成は以上の通りである。次に、建物開口部１０の内窓枠設置具の取り付けの手順を説明する。本実施形態では、内窓枠設置具における４つの内窓取付用額縁２１Ｕ、２１Ｄ、２１Ｌ、２１Ｒを建物開口部１０の４つの額縁１１Ｕ、１１Ｄ、１１Ｌ、１１Ｒの内側に一つずつ装着する。図１１、図１２、図１３、図１４は、額縁１１Ｄへの額縁２１Ｄの装着の手順を示す図である。この装着では、図１１に示すように、既存窓の下枠１３Ｄのアングル部２７Ｄの各孔とその下の額縁１１Ｄの内面１３Ｄに螺号緊締されているビスＢを締め付け方向と逆方向に回転させることによりビスＢを取り外す。
【００３４】
次に、図１２に示すように、金具３１を、その平板部３３を室内側（レール２３Ｄ、２４Ｄ、２５Ｄのある側と反対側）に向けるとともに平板部３４の孔３６と下枠１３Ｄのアングル部２７Ｄの孔を重ねるようにしてアングル部２７Ｄ上に載せる。その上で、ビスＢを平板部３４の孔３６と下枠１３Ｄのアングル部２７Ｄの孔を通して下枠１３Ｄの内面１３Ｄにねじ込み、このビスＢを内面１４Ｄに螺号緊締することにより、金具３１の平板部３４とその下の保護片３７を下枠１３Ｄのアングル部２７Ｄ上に固定する。
【００３５】
次に、図１３に示すように、内窓取付用額縁２１Ｄをアングル部２７Ｄ上の金具３１の平板部３３と額縁１１Ｄの内面１３Ｄとの間の隙間Ｓに挿入する。次に、アングル部２７Ｄ上の金具３１の平板部３３の孔３５と内窓取付用額縁２１ＤのレールＲＬの溝ＣＨＮ内のビス受け片Ｐのねじ孔Ｈの位置が合うようにビス受け片Ｐを長さ方向（図９（Ａ）の矢印Ｄ方向）に動かす。その上で、図１４に示すように、ビスＢを平板部３３の孔３５を通して溝ＣＨＮ内のビス受け片Ｐのねじ孔Ｈに螺号緊締する。この螺号緊締により、レールＲＬの溝ＣＨＮ内におけるビス受け片Ｐが凸部ＺＦＵ及びＺＢＵ側に移動し、ビスＢの頭部ＢＨとビス受け片Ｐにより凸部ＺＦＵ及びＺＢＵが挟持される。この挟持により、内窓取付用額縁２１Ｄが額縁１１Ｄ上に固定される。以上で、額縁２１Ｄの額縁１１Ｄへの装着が完了する。額縁２１Ｕ、２１Ｌ、２１Ｒの装着の手順は、額縁２１Ｄの装着の手順と同じである。本実施形態では、内窓取付用額縁２１Ｕ、２１Ｄ、２１Ｌ、２１Ｒを額縁１１Ｕ、１１Ｄ、１１Ｌ、１１Ｒに装着した後、内窓取付用額縁２１Ｕ、２１Ｄ、２１Ｌ、２１Ｒの内側に内窓用の窓枠５２（図３）をビス留めし、この窓枠５２内に内窓の窓障子５８Ｆ及び５８Ｂを嵌め込む。
【００３６】
以上が、本実施形態の詳細である。本実施形態によると、次の効果が得られる。
第１に、本実施形態では、内窓枠設置具の金具３１を、その平板部３３を室内側に向けるとともにビスＢを平板部３４の孔３６及びアングル部２７Ｕ、２７Ｄ、２７Ｌ、２７Ｒの孔を通して額縁１１Ｕ、１１Ｄ、１１Ｌ、１１Ｒの内面１３Ｕ、１３Ｄ、１３Ｌ、１３Ｒにねじ込むことによってアングル部２７Ｕ、２７Ｄ、２７Ｌ、２７Ｒ上に固定するようになっている。また、内窓枠設置具の内窓取付用額縁２１Ｕ、２１Ｄ、２１Ｌ、２１Ｒを、アングル部２７Ｕ、２７Ｄ、２７Ｌ、２７Ｒ上の金具３１の平板部３３と建物開口部１０の額縁１１Ｕ、１１Ｄ、１１Ｌ、１１Ｒとの間の隙間Ｓに挿入するとともにビスＢを金具３１の平板部３３の孔３５を通して当該内窓取付用額縁２１Ｕ、２１Ｄ、２１Ｌ、２１Ｒにねじ込むことによって建物開口部１０の額縁１１Ｕ、１１Ｄ、１１Ｌ、１１Ｒに固定するようになっている。よって、本実施形態によると、建物開口部１０の額縁１１Ｕ、１１Ｄ、１１Ｌ、１１ＲにビスＢを打ち込むことなく内窓を設置することができる。
【００３７】
第２に、本実施形態では、内窓取付用額縁２１Ｕ、２１Ｄ、２１Ｌ、２１ＲのレールＲＬの溝ＣＨＮ内には当該溝ＣＨＮの延在方向に摺動し得るビス受け片Ｐが収められている。そして、内窓取付用額縁２１Ｕ、２１Ｄ、２１Ｌ、２１Ｒをアングル部２７Ｕ、２７Ｄ、２７Ｌ、２７Ｒ上の金具３１の平板部３３と建物開口部１０の額縁１１Ｕ、１１Ｄ、１１Ｌ、１１Ｒとの間の隙間Ｓに挿入した状態において、アングル部２７Ｕ、２７Ｄ、２７Ｌ、２７Ｒ上の金具３１の平板部３３の孔３５の位置と溝ＣＨＮ内におけるビス受け片Ｐの位置を合わせた上でビスＢを平板部３３の孔３５を通してビス受け片Ｐの孔Ｈに螺合し、この螺合によりビスＢの頭部ＢＨとビス受け片Ｐが平板部３３及び凸部ＺＦＵ及びＺＢＵを挟持するように構成されている。
【００３８】
ここで、既設窓の窓枠１２の中には、アングル部２７Ｕ、２７Ｄ、２７Ｌ、２７Ｒにおける隣り合う孔の間隔が広いものもあれば狭いものもある。本実施形態では、レールＲＬの溝ＣＨＮ内のビス受け片Ｐが溝ＣＨＮの長さ方向に摺動し得るため、既設窓の窓枠１２のアングル部２７Ｕ、２７Ｄ、２７Ｌ、２７Ｒの孔の間隔に拘らず、アングル部２７Ｕ、２７Ｄ、２７Ｌ、２７Ｒの孔とビス受け片Ｐの孔Ｈの位置を合わせることができる。従って、本実施形態によると、上枠１３Ｕ、下枠１３Ｄ、及び縦枠１３Ｌ及び１３Ｒのアングル部２７Ｕ、２７Ｄ、２７Ｌ、２７Ｒの孔の間隔に拘らず、内窓取付用額縁２１Ｕ、２１Ｄ、２１Ｌ、２１Ｒを装着することができる。
【００３９】
第３に、本実施形態では、金具３１の平板部３４の孔３６は、中間部３２の下端辺から平板部３４の先端に向かう方向を長軸とする楕円状をなしている。ここで、既設窓の窓枠１２の中には、アングル部２７Ｕ、２７Ｄ、２７Ｌ、２７Ｒの起立方向の先端とアングル部２７Ｕ、２７Ｄ、２７Ｌ、２７Ｒの孔との間の間隔が広いものもあれば狭いものもある。本実施形態では、アングル部２７Ｕ、２７Ｄ、２７Ｌ、２７Ｒの孔と金具３１の平板部３４の孔３６が重なる範囲内においてアングル部２７Ｕ、２７Ｄ、２７Ｌ、２７Ｒ上の平板部３４の固定位置をずらすことができる。
【００４０】
このため、図１５の例に示すように、この固定位置のずらし幅を好適に調整することにより、アングル部２７Ｕ、２７Ｄ、２７Ｌ、２７Ｒ（図１５の例では、アングル部２７Ｄ）の起立方向の先端とアングル部２７Ｄの孔との間の間隔Ｗの大小に拘らず、金具３１をその中間部３２とアングル部２７Ｄの先端が面一になるようにしてアングル部２７Ｄ上に固定できる。よって、本実施形態によると、金具３１をアングル部２７Ｕ、２７Ｄ、２７Ｌ、２７Ｒ上に固定した際にアングル部２７Ｕ、２７Ｄ、２７Ｌ、２７Ｒの先端が平板部３３の側に食み出すことがなくなる。従って、本実施形態によると、平板部３３と額縁１１Ｕ、１１Ｄ、１１Ｌ、１１Ｒの間の隙間Ｓに内窓取付用額縁２１Ｕ、２１Ｄ、２１Ｌ、２１Ｒをしっかりとはめ込むことができる。
【００４１】
第４に、本実施形態では、金具３１の平板部３４における平板部３３のある側と反対側の面に弾性体からなる保護片３７が貼付されている。ここで、既設窓の窓枠１２の素材であるアルミニウムは、金具３１の素材であるステンレスよりも硬度が低い。このため、金具３１の平板部３４を直においてビスＢにより両者を圧接すると、既設窓の窓枠１２に傷ができてしまう恐れがある。本実施形態では、金具３１の平板部３３が既設窓の窓枠１２が間に弾性体を挟んで接合されるため、金具３１を取り外す際に既設窓の窓枠１２に傷が残ってしまう、という事態の発生を防止することができる。
【００４２】
第５に、本実施形態では、レールＲＬの側部ＹＦ及びＹＢの上端が凸部ＺＦＵ及びＺＢＵとして内側に凸んでおり、側部ＹＦ及びＹＢにおける凸部ＺＦＵ及びＺＢＵよりも僅かに下の位置が凸部ＺＦＭ及びＺＢＭとして内側に凸んでおり、この凸部ＺＦＭ及びＺＢＭ上にビス受け片Ｐが収められている。よって、凸部ＺＦＭ及びＺＢＭを設けずに底部Ｘ上にビス受け片Ｐを直に置いたものに比べてビス受け片Ｐの摺動が行いやすい。従って、本実施形態によると、内側取付用金具３１の装着時におけるビス受け片Ｐの位置合わせを容易に行うことができる。
【００４３】
＜他の実施形態＞
以上、本発明の一実施形態について説明したが、かかる実施形態に以下の変形を加えてもよい。
（１）上記実施形態の内窓枠設置具は、建物開口部１０における左右方向に対向する額縁１１Ｌ及び１１Ｒ間に収まる長さを有する２つの内窓取付用額縁２１Ｕ及び２１Ｄと上下方向に対向する額縁１１Ｕ及び１１Ｄ間に収まる長さを有する２つの内窓取付用額縁２１Ｌ及び２１Ｒとを含む４つの内窓取付用額縁２１Ｕ、２１Ｄ、２１Ｌ、２１Ｒを有していた。しかし、既設窓の窓枠１２の中には、上枠１３Ｕと下枠１３Ｄにだけアングル部があり、上枠１３Ｕと下枠１３Ｄのアングル部だけを建物開口部１０の額縁にビス留めするものがある。このような場合、内窓枠設置具を、複数個の金具３１と２つの内窓取付用額縁２１のみから構成してもよい。この場合における内窓取付用額縁２１の装着は次のようにするとよい。
【００４４】
まず、金具３１を、第１の平板部３３を室内側に向けるとともにビスＢを第２の平板部３４の孔３６と下枠１３Ｄのアングル部２７Ｄの孔を通して額縁１１Ｄの内面１３Ｄにねじ込むことにより、下枠１３Ｄのアングル部２７Ｄ上に固定する。
【００４５】
次に、２つの内窓取付用額縁２１のうち一方を、下枠１３Ｄのアングル部２７Ｄ上の金具３１の第１の平板部３３と建物開口部１０の額縁１１Ｄとの間の隙間Ｓに挿入するとともにビスＢを金具３１の第１の平板部３３の孔３５を通して額縁２１にねじ込むことによって額縁１１Ｄ上に固定する。
【００４６】
次に、金具３１を、第１の平板部３３を室内側に向けるとともにビスＢを第２の平板部３４の孔３６と上枠１３Ｕのアングル部２７Ｕの孔を通して額縁１１の内面１３Ｕにねじ込むことによって上枠１３Ｕのアングル部２７Ｕ上に固定する。
【００４７】
次に、２つの内窓取付用額縁２１のうち他方を、上枠１３Ｕのアングル部２７Ｕ上の金具３１の第１の平板部３３と建物開口部１０の額縁との間の隙間Ｓに挿入するとともにビスＢを金具３１の第１の平板部３３の孔を通して額縁２１にねじ込むことによって建物開口部１０の額縁１１Ｕ上に固定する。
【００４８】
このようにすると、建物開口部１０の左右の額縁にビスＢ孔をつけずに内窓を設置することができる。
【００４９】
（２）上記実施形態における高さＨ１、Ｈ１’、長さＬ２、Ｌ３、奥行幅Ｗ２の寸法値はあくまで一例に過ぎず、上記実施形態のものと異なる任意の寸法値を採用してよい。
【００５０】
１０…建物開口部、１１…建物開口部の額縁、１２…既設窓の窓枠、１８…窓障子、２１…内窓取付用額縁、３１…金具、３２…中間部、３３…第１の平板部、３４…第２の平板部。
【図１】
2014227776.tif 000003
【図２】
2014227776.tif 000004
【図３】
2014227776.tif 000005
【図４】
2014227776.tif 000006
【図６】
2014227776.tif 000007
【図５】
2014227776.tif 000008
【図７】
2014227776.tif 000009
【図８】
2014227776.tif 000010
【図９】
2014227776.tif 000011
【図１０】
2014227776.tif 000012
【図１１】
2014227776.tif 000013
【図１２】
2014227776.tif 000014
【図１３】
2014227776.tif 000015
【図１４】
2014227776.tif 000016
【図１５】
2014227776.tif 000017